(57)【特許請求の範囲】
【請求項１】
嵌合部内に舌片状のばね接点が設けられた雌端子と、この雌端子の嵌合部内に挿入されて上記ばね接点に接触する雄タブが設けられた雄端子とを有するコネクタの端子構造において、上記雄タブを雌端子の嵌合部内に挿入する際に、その挿入力がピーク値となる前に、上記ばね接点に対する雄タブの接触角δＬと、両端子の接触面の摩擦係数μとの間に、９０°＞δＬ≧９０°−tan−１[（３−５μ）／（５＋３μ）]の関係が成り立つように上記ばね接点の傾斜角度を設定するとともに接点部を形成したことを特徴とするコネクタの端子構造。
【請求項２】
上記雄タブの挿入力がピーク値となる前に、上記ばね接点に対する雄タブの接触角δＬと、両端子の接触面の摩擦係数μとの間に、９０°＞δＬ≧９０°−tan−１[（１−μ）／（２＋μ）]の関係が成り立つように構成したことを特徴とする請求項１記載のコネクタの端子構造。
【請求項３】
上記雄タブの挿入力がピーク値となる前に、上記ばね接点に対する雄タブの接触角δＬと、両端子の接触面の摩擦係数μとの間に、９０°＞δＬ≧５３．７４μ°＋５９．５３７°の関係が成り立つように構成したことを特徴とする請求項１記載のコネクタの端子構造。
【請求項４】
上記雄タブの挿入力がピーク値となる前に、上記ばね接点に対する雄タブの接触角δＬと、両端子の接触面の摩擦係数μとの間に、９０°＞δＬ≧５３．７４μ°＋６３．９３６°の関係が成り立つように構成したことを特徴とする請求項２記載のコネクタの端子構造。
【請求項５】
上記雄タブの挿入力がピーク値となる前に、上記ばね接点に対する雄タブの接触角δＬが、９０°＞δＬ≧６７．５°の範囲内となるとように構成したことを特徴とする請求項１記載のコネクタの端子構造。
【請求項６】
上記雄タブの挿入力がピーク値となる前に、上記ばね接点に対する雄タブの接触角δＬが、９０°＞δＬ≧７１．９°の範囲内となるように構成したことを特徴とする請求項２記載のコネクタの端子構造。
【請求項７】
雄タブの先端部に先窄まりの傾斜面を形成するとともに、雌端子の嵌合部に対して上記雄タブを挿入する際に、上記傾斜面の基端部を、ばね接点に当接させるように構成したことを特徴とする請求項１〜６の何れかに記載のコネクタの端子構造。
【発明の詳細な説明】
【０００１】
【発明の属する技術分野】
本発明は、嵌合部内に舌片状のばね接点が設けられた雌端子と、上記雌端子の嵌合部内に挿入されて上記ばね接点に接触する雄端子とを有するコネクタの端子構造に関するものである。
【０００２】
【従来の技術】
従来、自動車用のワイヤーハーネス等を接続する際に、嵌合部内に舌片状のばね接点が設けられた雌端子と、この雌端子の嵌合部内に挿入されて上記ばね接点に接触する雄タブが設けられた雄端子とを有するコネクタを使用し、上記雄端子と雌端子との結合により上記ワイヤーハーネス等を電気的に接続することが行われている。
【０００３】
例えば、図９に示すように、雄端子４の雄タブ３が挿入される雌端子２の嵌合部１内に、上記雄タブ３の一面が接触する固定接点５と、この固定接点５と所定の初期クリアランスを隔てて対向するばね接点６ａとを設け、これらの接点５，６ａ間に上記雄タブ３を挿入し、上記ばね接点６ａを弾性変形させた状態で上記雄タブ３と接点５，６ａとを接触させることにより、上記雌端子２に固着されたハーネスと、雄端子４に固着されたハーネスとを電気的に接続することが行われている。
【０００４】
【発明が解決しようとする課題】
上記雌端子２の両接点５，６ａ間に形成された初期クリアランスは、上記雄タブ３の板厚よりも所定量だけ小さな値に設定されているため、上記雌端子２の両接点５，６ａ間に、雄端子４の雄タブ３が挿入されるのに応じ、上記ばね接点６ａが大きく弾性変形してその接点反力が急上昇するとともに、図７の破線で示すように、上記雄タブ３の挿入直後に、上記雌端子２に対する雄端子４の挿入力Ｆａが急上昇してピーク値に達するとともに、その後に上記挿入力Ｆａが所定量だけ減少して結合完了状態に至る。
【０００５】
また、上記雄タブ３の挿入後に、その挿入力Ｆａが上昇するのに応じ、図７の破線で示すように、上記ばね接点６ａの接点反力ＰＬａが上昇する。したがって、上記両端子２，４の結合完了状態におけるばね接点６ａの接点反力ＰＬａを所定値に設定して雄タブ３とばね接点６ａとの接触圧を確保するためには、上記挿入力Ｆａのピーク値が大きくなることが避けられず、これによって両端子２，４の結合する際に、大きな操作力が必要であるという問題がある。
【０００６】
特に、最近は、車載用電子機器の増加に伴い、コネクタが多極化する傾向があり、これに対応して端子の配列を狭ピッチ化することにより、コネクタを小型化するとともに、一端子当たりの挿入力を低減して端子を結合する際の作業性を向上させることが望まれている。しかし、コネクタの接続信頼性を維持するという観点から、上記のようにばね接点の接点反力を所定値に維持する必要があるので、両端子の結合操作力を、これ以上低減することは困難であるという問題があった。
【０００７】
本発明は、上記の点に鑑みてなされたものであり、コネクタの接続信頼性を損なうことなく、雌端子の嵌合部に対する雄タブの挿入力を効果的に低減することができるコネクタの端子構造を提供することを目的としている。
【０００８】
【課題を解決するための手段】
請求項１に係る発明は、嵌合部内に舌片状のばね接点が設けられた雌端子と、この雌端子の嵌合部内に挿入されて上記ばね接点に接触する雄タブが設けられた雄端子とを有するコネクタの端子構造において、上記雄タブを雌端子の嵌合部内に挿入する際に、その挿入力がピーク値となる前に、上記ばね接点に対する雄タブの接触角δＬと、両端子の接触面の摩擦係数μとの間に、９０°＞δＬ≧９０°−tan−１[（３−５μ）／（５＋３μ）]の関係が成り立つように上記ばね接点の傾斜角度を設定するとともに接点部を形成したものである。
【０００９】
上記構成によれば、雄タブを雌端子の嵌合部内に挿入して両端子を結合する際に、その挿入力が一気にピーク値に上昇するのを防止しつつ、上記ばね接点の接点反力を充分に高い値に設定することが可能となる。
【００１０】
請求項２に係る発明は、上記請求項１記載のコネクタの端子構造において、上記雄タブの挿入力がピーク値となる前に、上記ばね接点に対する雄タブの接触角δＬと、両端子の接触面の摩擦係数μとの間に、９０°＞δＬ≧９０°−tan-1[（１−２μ）／（２＋μ）]の関係が成り立つように構成したものである。
【００１１】
上記構成によれば、雄タブを雌端子の嵌合部内に挿入して両端子を結合する際に、その挿入力のピーク値が、より効果的に低減されるとともに、上記ばね接点の接点反力が充分に高い値に設定されることになる。
【００１２】
請求項３に係る発明は、上記請求項１記載のコネクタの端子構造において、上記雄タブの挿入力がピーク値となる前に、上記ばね接点に対する雄タブの接触角δＬと、両端子の接触面の摩擦係数μとの間に、９０°＞δＬ≧５３．７４μ°＋５９．５３７°の関係が成り立つように構成したものである。
【００１３】
上記構成によれば、両端子の接触面の摩擦係数が０．１〜０．４の範囲内にある場合において、雄タブを雌端子の嵌合部内に挿入して両端子を結合する際に発生する挿入力のピーク値を、上記端子結合完了状態におけるばね接点の接点反力の６０％程度以下に抑えることが可能となる。
【００１４】
請求項４に係る発明は、上記請求項２記載のコネクタの端子構造において、上記雄タブの挿入力がピーク値となる前に、上記ばね接点に対する雄タブの接触角δＬと、両端子の接触面の摩擦係数μとの間に、９０°＞δＬ≧５３．７４μ°＋６３．９３６°の関係が成り立つように構成したものである。
【００１５】
上記構成によれば、両端子の接触面の摩擦係数が０．１〜０．４の範囲内にある場合において、雄タブを雌端子の嵌合部内に挿入して両端子を結合する際に発生する挿入力のピーク値を、上記端子結合完了状態におけるばね接点の接点反力の５０％程度以下に抑えることが可能となる。
【００１６】
請求項５に係る発明は、上記請求項１記載のコネクタの端子構造において、上記雄タブの挿入力がピーク値となる前に、上記ばね接点に対する雄タブの接触角δＬが、９０°＞δＬ≧６７．５°の範囲内となるとように構成したものである。
【００１７】
上記構成によれば、両端子の接触面の摩擦係数が０．１５である場合において、雄タブを雌端子の嵌合部内に挿入して両端子を結合する際に発生する挿入力のピーク値を、上記端子結合完了状態におけるばね接点の接点反力の６０％程度以下に抑えることが可能となる。
【００１８】
請求項６に係る発明は、上記請求項２記載のコネクタの端子構造において、上記雄タブの挿入力がピーク値となる前に、上記ばね接点に対する雄タブの接触角δＬが、９０°＞δＬ≧７１．９°の範囲内となるように構成したものである。
【００１９】
上記構成によれば、両端子の接触面の摩擦係数が０．１５である場合において、雄タブを雌端子の嵌合部内に挿入して両端子を結合する際に発生する挿入力のピーク値を、上記端子結合完了状態におけるばね接点の接点反力の５０％程度以下に抑えることが可能となる。
【００２０】
請求項７に係る発明は、上記請求項１〜６の何れかに記載のコネクタの端子構造において、雄タブの先端部に先窄まりの傾斜面を形成するとともに、雌端子の嵌合部に対して上記雄タブを挿入する際に、上記傾斜面の基端部を、ばね接点に当接させるように構成したものである。
【００２１】
上記構成によれば、雌端子の嵌合部に対して上記雄タブを挿入する際に、上記傾斜面がばね接点に当接することにより、この傾斜面の傾斜角に基づいて上記雄タブの接触角が決定されることがなく、上記傾斜面の如何に拘わらず、上記雌端子のばね接点に対する雄タブの接触角δＬが適正値に設定されることになる。
【００２２】
【発明の実施の形態】
図１および図２は、本発明に係るコネクタの端子構造の実施形態を示している。このコネクタは、筒状の嵌合部１を備えた雌端子２と、この雌端子２の嵌合部１内に挿入される雄タブ３を備えた雄端子４とを有し、上記雌端子２の嵌合部１内に雄端子４の雄タブ３を挿入することにより、雌端子２の後端部に固着されたハーネスと、雄端子４の後端部に固着されたハーネスとを電気的に接続するように構成されている。
【００２３】
上記雌端子２の嵌合部１内には、固定接点５が天板部の下面に設けられるとともに、この固定接点５と所定の初期クリアランスを隔てて対向するばね接点６が底壁部の上方に設けられている。このばね接点６は、上記嵌合部１の底壁部の前端に連設された板状部材を斜め上方に折り返すことによって形成され、その上面には、固定接点５側に膨出する接点部７が形成されている。
【００２４】
上記ばね接点６は、その傾斜角度が従来品に比べて小さく設定されるとともに、このばね接点６の前端部近傍から後端部近傍に至る所定範囲を、緩やかな曲線をもって上方に膨出させることにより、上記接点部７が形成されている。これによって上記雄タブ３を、雌端子２の嵌合部１内に挿入して両端子２，４を結合する際に、その挿入力がピーク値となる前に、上記ばね接点６に対する雄タブ３の接触角δＬと、両端子２，４の接触面の摩擦係数μとの間に、９０°＞δＬ≧９０°−tan-1[（３−５μ）／（５＋３μ）]の関係が成り立つように構成されている。
【００２５】
すなわち、図３に示すように、上記雄端子４の雄タブ３を雌端子２の嵌合部１内に挿入して両端子２，４の間に所定の挿入力Ｆを作用させると、上記雄タブ３と、ばね接点６との間には、上記挿入力Ｆに対応する垂直抗力（上記雄タブ３を押し戻そうとして上記ばね接点６の法線方向に作用する反力）Ｒと、この垂直抗力Ｒに対応して上記ばね接点６の接線方向に作用する摩擦力μＲと、このばね接点６を押し下げようとする接点反力ＰＬとが発生し、これらの間には、以下の釣り合い方程式（１），（２）が成立する。
【００２６】
Ｆ＝μ・Ｒ・cosφＬ＋Ｒ・sinφＬ……（１）
Ｒ・cosφＬ＝ＰＬ＋μ・Ｒ・sinφＬ……（２）
なお、上記式（１），（２）において、φＬは、上記雄タブ３の接触点におけるばね接点６の傾斜角、つまり雄タブ３の挿入方向と上記接線方向とがなす角を示している。上記雄タブ３の挿入方向と上記法線方向とによって決定される雄タブ３に対するばね接点６の接触角δＬと、上記傾斜角φＬとの間には、下記式（３）に示す関係がある。
【００２７】
δＬ＝９０°−φＬ……（３）
上記釣り合い方程式（１），（２）から、垂直抗力Ｒを消去すると、下記の関係式（４）が求められる。
【００２８】
Ｆ＝[（μ＋tanφＬ）／（１−μ・tanφＬ）]ＰＬ……（４）
この関係式（４）から、上記接点反力ＰＬが同一である場合には、雌端子２に対する雄タブ３の挿入力Ｆが、摩擦係数μと傾斜角φＬとに依存して変化することがわかる。
【００２９】
そして、上記雄タブ３の挿入力Ｆを小さくして作業者に負担をかけることなく、上記接点反力ＰＬを充分に高い値に保持してコネクタの接続信頼性を確保し得るようにするため、種々の実験を行ったところ、上記挿入力Ｆと、接点反力ＰＬとの間に以下の条件式（５）を満足する場合に、作業者に負担をかけることなく、コネクタの接続信頼性を確保することができることが確認された。
【００３０】
０＜Ｆ≦０．６ＰＬ……（５）
式（４）と式（５）とから以下の関係式（６）が得られる。
【００３１】
０＜（μ＋tanφＬ）／（１−μ・tanφＬ）≦０．６……（６）
上記式（６）を変形すると、下記式（７）が得られる。
【００３２】
０＜tanφＬ≦（３−５μ）／（５＋３μ）……（７）
上記式（７）のφＬに、式（３）の値（δＬ＝９０°−φＬ）を代入して、式（７）を変形すると、以下の関係式（８）が得られる。
【００３３】
９０°＞δＬ≧９０°−tan-[（３−５μ）／（５＋３μ）]……（８）
したがって、雄端子４の雄タブ３を雌端子２の嵌合部１内に挿入して両端子２，４を結合する際に、その挿入力Ｆがピーク値となる前に、上記ばね接点６に対する雄タブ３の接触角δＬと、両端子２，４の接触面の摩擦係数μとの間に、上記式（８）に示す関係、つまり９０°＞δＬ≧９０°−tan-1[（３−５μ）／（５＋３μ）]の関係が成り立つように構成することにより、上記挿入力Ｆを接点反力ＰＬの６０％以下に抑えて、作業者に負担をかけることなく、コネクタの接続信頼性を確保することができる。
【００３４】
一般に、金属材または金属の表面にメッキ処理が施された部材からなる雌端子２および雄端子４では、上記摩擦係数μが０．１〜０．４の範囲内にあるため、この範囲内におる上記接触角δＬの下限値を、上記式（８）に基づいて算出し、これをグラフ化すると、図４の線Ａに示すようになる。
【００３５】
上記グラフから、上記雄タブ３を雌端子２の嵌合部１内に挿入して両端子２，４を結合する際に、その挿入力Ｆがピーク値となる前に、上記ばね接点６に対する雄タブ３の接触角δＬと、両端子２，４の接触面の摩擦係数μとの間に、下記式（９）が成立する場合に、作業者に負担をかけることなく、コネクタの接続信頼性を確保できることがわかる。
【００３６】
９０°＞δＬ≧５３．７４μ＋５９．５３７°……（９）
また、実際の端子材料において上記摩擦係数μを測定すると、０．１５以上であることが多いため、上記式（９）から、下記式（１０）が得られ、上記雄タブ３を雌端子２の嵌合部１内に挿入して両端子２，４を結合する際に、その挿入力Ｆがピーク値となる前に、上記ばね接点６に対する雄タブ３の接触角δＬが、６７．５°以上となるように構成することにより、上記挿入力Ｆを接点反力ＰＬの６０％以下に抑えることができる。
【００３７】
９０°＞δＬ≧６７．５°……（１０）
また、上記挿入力Ｆを接点反力ＰＬの５０％以下に抑えることができるようにするためには、下記条件式（５ａ）を満足する必要があり、この条件式（５ａ）に基づいて上記式（６）〜式（８）に対応した以下の式（６ａ）〜式（８ａ）を求めることができる。
【００３８】
０＜Ｆ≦０．５ＰＬ……（５ａ）
０＜（μ＋tanφＬ）／（１−μ・tanφＬ）≦０．６……（６ａ）
０＜tanφＬ≦（１−２μ）／（２＋μ）……（７ａ）
９０°＞δＬ≧９０°−tan-[（１−２μ）／（２＋μ）]……（８ａ）
上記式（８ａ）から、雄タブ３を雌端子２の嵌合部１内に挿入して両端子２，４を結合する際に、その挿入力Ｆがピーク値となる前に、上記ばね接点６に対する雄タブ３の接触角δＬと、両端子２，４の接触面の摩擦係数μとの間に、９０°＞δＬ≧９０°−tan-1[（１−２μ）／（２＋μ）]の関係が成り立つように構成することにより、上記挿入力Ｆを接点反力ＰＬの５０％以下に抑えて、作業者の負担を、より軽減しつつ、コネクタの接続信頼性を充分に確保できることがわかる。
【００３９】
また、上記摩擦係数μが０．１〜０．４の範囲内にあるものにおいて、この範囲内におる上記接触角δＬの下限値を、上記式（８）に基づいて算出し、これをグラフ化すると、図４の線Ｂに示すようになり、これに基づいて下記式（９ａ）が得られ、特に摩擦係数μが０．１５以上の場合に、下記式（１０ａ）が得られる。
【００４０】
９０°＞δＬ≧５３．７４μ＋６３．９３６°……（９ａ）
９０°＞δＬ≧７１．９°……（１０ａ）
したがって、上記雄タブ３を雌端子２の嵌合部１内に挿入して両端子２，４を結合する際に、その挿入力Ｆがピーク値となる前に、上記ばね接点６に対する雄タブ３の接触角δＬと、両端子２，４の接触面の摩擦係数μとの間に、９０°＞δＬ≧５３．７４μ＋６３．９３６°の関係が成立するように構成することにより、上記挿入力Ｆを接点反力ＰＬの５０％以下に抑えて、作業者の負担を、より軽減して、コネクタの接続信頼性を充分に確保できることができる。
【００４１】
さらに、上記摩擦係数μが０．１５以上の場合には、上記雄タブ３を雌端子２の嵌合部１内に挿入して両端子２，４を結合する際に、その挿入力Ｆがピーク値となる前に、上記ばね接点６に対する雄タブ３の接触角δＬを、７１．９°以上に設定することにより、上記挿入力Ｆを接点反力ＰＬの５０％以下に抑えることができる。
【００４２】
上記両端子２，４の結合時に、雌端子２のばね接点６に対する雄タブ３の接触位置は、雄タブ３の挿入量に応じて順次変化する。例えば図５の実線で示す初期接触位置から所定距離ωｈだけ雄タブ３が雌端子２の嵌合部１内に挿入されると、上記ばね接点６に対する雄タブ３の接触位置が仮想線で示す位置Ｃに変位し、この接触位置Ｃは、初期位置Ｃ′からωｖだけ下降することになる。
【００４３】
そして、図６に示すように、上記ばね接点６の基端部（折返し端部）Ａから雄タブ３の初期接触位置Ｂまでの水平距離をγｈ、垂直距離をγｖとし、かつばね接点６に対する雄タブ３の初期接触状態における上記ばね接点６の傾斜角度をθとすると、雄タブ３が雌端子２内に所定距離だけ挿入されて雄タブ３の接触位置Ｃが水平距離ωｈだけ移動するのに応じ、この接触位置Ｃが垂直距離ωｖだけ下降するため、以下の関係式（１１）が成立する。
【００４４】
tanθ＝γｖ／γｈ＝（γｖ＋ωｖ）／（γｈ＋ωｈ）
γｖ（γｈ＋ωｈ）＝γｈ（γｖ＋ωｖ）
ωｖ＝γｖ・ωｈ／γｈ……（１１）
また、上記ばね接点６の断面二次モーメントをＩ、縦弾性係数をＥ、ばね接点６を弾性変形させる荷重、つまり接点反力をＰＬとすると、片持ちばりのたわみ曲線式により、下記の関係式（１２）が得られる。
【００４５】
ＰＬ＝[３ＥＩ／（γｈ＋ωｈ）3]ωｖ……（１２）
上記関係式（１２）に式（１１）を代入すると、下記関係式（１３）が得られ、これを上記関係式（４）に代入すると、下記式（１４）に示すように、コネクタの挿入力Ｆおよび接点反力ＰＬと、雄タブ３の挿入位置（γｈ＋ωｈ）と、雄タブ３の接触角δＬと、端子接触面の摩擦係数μとの関係式が得られる。
【００４６】
ＰＬ＝[３ＥＩ／（γｈ＋ωｈ）3] γｖ・ωｈ／γｈ……（１３）
Ｆ＝[（μ＋tanφＬ）／（１−μ・tanφＬ）]・[３ＥＩ／（γｈ＋ωｈ）3]γｖ・ωｈ／γｈ……（１４）
上記雄タブ３とばね接点６との初期接触位置における上記接触角δＬを、７６．４°に設定した本発明例と、６６．３°に設定した比較例とにおいて、雄タブ３の挿入量に応じてコネクタの挿入力Ｆ，Ｆａおよびばね接点６の接点反力ＰＬ，ＰＬａがどのように変化するかを、上記関係式（１３），（１４）に基づいて検証したところ、図７に示すようなデータが得られた。なお、上記検証例では、端子接触面の摩擦係数μを、それぞれ０．１５程度に設定するとともに、コネクタの結合完了状態における接点反力ＰＬ，ＰＬａを、それぞれ９．３Ｎ程度に設定した。
【００４７】
上記データから比較例では、図７の破線で示すように、挿入力Ｆａのピーク値が５．７Ｎ程度である。これに対して本発明例では、図７の実線で示すように、コネクタの結合が完了する直前に、上記挿入力Ｆが３．５Ｎ程度のピーク値となる。したがって、上記のようにコネクタの結合完了状態における上記接点反力ＰＬ，ＰＬａを同じに値に設定したにも拘わらず、本発明例では、比較例に比べて上記挿入力Ｆのピーク値を、約３８．６％低減できることが確認された。
【００４８】
なお、図８に示すように、雄タブ３の先端部に先窄まりの傾斜面３ａが形成されたコネクタにおいて、雌端子２の嵌合部１に対して上記雄タブ３を挿入する際に、上記傾斜面３ａが、ばね接点６に当接すると、上記傾斜面３ａの傾斜角φＴに基づいて上記雄タブ３の接触角δＬが決定されることになる。
【００４９】
したがって、上記雄タブ３の先端部に形成された傾斜面３ａの傾斜角φＴに対して９０°−φＴを６７．５°〜９０°の範囲内に設定し、あるいは７１．９°〜９０°の範囲内に設定するとともに、雌端子２の嵌合部１に対して上記雄タブ３を挿入する際に、上記傾斜面３ａがばね接点６に当接するように構成することにより、上記嵌合部１に対する雄タブ３の挿入力Ｆがピーク値となる前に、上記ばね接点６に対する雄タブ３の接触角δＬを、９０°＞δＬ≧６７．５°または９０°＞δＬ≧７１．９°の範囲内に設定することができる。
【００５０】
なお、上記雌端子２の嵌合部１に対して上記雄タブ３を挿入する際に、上記傾斜面３ａの基端部Ｄがばね接点６に当接するように、上記傾斜面３ａの設置範囲または傾斜角φＴを設定することにより（図５参照）、上記傾斜面３ａによって上記雌端子２のばね接点６に対する雄タブ３の挿入時における接触角δＬが決定されるのを防止し、上記ばね接点６の設置角度および上記接点部７の形状等に応じて上記接触角δＬを適正値に設定することができる。特に、図８の仮想線ｄで示すように、上記雄タブ３の先端部を平坦面に形成した場合には、上記雄タブ３の先端部と、ばね接点６とが点接触するため、常に上記ばね接点６の傾斜角φＬ等に基づいて上記接触角δＬが設定されることになる。
【００５１】
【発明の効果】
以上説明したように、本発明は、嵌合部内に舌片状のばね接点が設けられた雌端子と、この雌端子の嵌合部内に挿入されて上記ばね接点に接触する雄タブが設けられた雄端子とを有するコネクタの端子構造において、上記雄タブを雌端子の嵌合部内に挿入する際に、その挿入力がピーク値となる前に、上記ばね接点に対する雄タブの接触角δＬと、両端子の接触面の摩擦係数μとの間に、９０°＞δＬ≧９０°−tan−１[（３−５μ）／（５＋３μ）]の関係が成り立つように上記ばね接点の傾斜角度を設定するとともに接点部を形成したため、雄タブを雌端子の嵌合部内に挿入して両端子を結合する際に、その挿入力が一気にピーク値に上昇するのを防止しつつ、上記ばね接点の接点反力を充分に高い値に設定することができる。したがって、簡単な構成で、上記両端子の結合作業を容易に行うことができるとともに、上記雄タブとばね接点との接触圧を充分に確保してコネクタの接続信頼性を効果的に向上させることができるという利点がある。
【図面の簡単な説明】
【図１】本発明に係るコネクタの端子構造の実施形態を示す側面断面図である。
【図２】コネクタの端子構造を示す平面断面図である。
【図３】雄タブ挿入時の応力の作用状態を示す説明図である。
【図４】摩擦係数と接触角との対応関係を示すグラフである。
【図５】雄タブの挿入過程を示す説明図である。
【図６】ばね接点の変形状態を示す説明図である。
【図７】雄タブの挿入量と挿入力との対応関係を示すグラフである。
【図８】比較例における雄タブの挿入過程を示す説明図である。
【図９】コネクタの端子構造の従来を示す側面断面図である。
【符号の説明】
１  嵌合部
２  雌端子
３  雄タブ
４  雄端子
６  ばね接点
【図１】
0004401580.tif 000002
【図２】
0004401580.tif 000003
【図３】
0004401580.tif 000004
【図４】
0004401580.tif 000005
【図５】
0004401580.tif 000006
【図６】
0004401580.tif 000007
【図７】
0004401580.tif 000008
【図８】
0004401580.tif 000009
【図９】
0004401580.tif 000010